(57)【特許請求の範囲】
【請求項１】
押出機のダイから吐出される溶融状態の帯状樹脂を冷却ドラムの外周面に適宜の角度範囲に亙り巻き付け、上記冷却ドラムとの接触によって冷却された上記帯状樹脂を次工程に導くフィルムキャスト装置において、
略鉛直方向に立脚された左右一対の支持コラム間に横フレームが架設されたドラム支持体を上記冷却ドラムの回転軸の両端部にそれぞれ配設し、
上記ドラム支持体に上記冷却ドラムを昇降可能に支持する昇降駆動機構および上記冷却ドラムを任意の高さ調整位置で係脱可能にロックして上記冷却ドラムの回転駆動時に上記冷却ドラムの振動を防止するロック機構を設け、
前記ロック機構は、上記冷却ドラムの回転軸の軸受部を有する移動ハウジングに固定されたガイドブロックと、前記支持コラムに装着されたクランプ装置とを具備することを特徴とするフィルムキャスト装置。
【請求項２】
上記ドラム支持体は上記ダイを移動可能に支持し、上記ダイを所望の移動位置で位置決め保持する位置決め機構と、
上記帯状樹脂に静電気を印加して上記冷却ドラムの外周面に密着させる静電印加装置の位置決め機構と
を具備することを特徴とする請求項１に記載のフィルムキャスト装置。
【請求項３】
上記冷却ドラムの駆動装置は
上記ドラム支持体から分離して配設された駆動モータと、
この駆動モータの出力軸に連結された遊星歯車機構を使用した減速機と、
この減速機の出力軸と上記ドラム支持体に回転自在に支持された回転体との間を連結する自在継手と、
上記回転体の回転を上記冷却ドラムの回転軸に伝達するベルト式の駆動力伝達手段と
を具備することを特徴とする請求項１に記載のフィルムキャスト装置。
【請求項４】
上記冷却ドラムはドラム本体内に冷却水流通路が形成され、上記冷却ドラムの外部の冷却水給排用の外部配管部と、上記ドラム本体内の冷却水流通路との間が可撓性を備えた連結管を介して連結されたものであることを特徴とする請求項１に記載のフィルムキャスト装置。
【発明の詳細な説明】
【０００１】
【発明の属する技術分野】
本発明は２軸延伸フィルム（例えばＢＯＰＥＴ）の原反成膜用のフィルムキャスト装置に関する。
【０００２】
【従来の技術】
一般に、例えばＢＯＰＥＴ等のフィルム製造工程では原反成膜用のフィルムキャスト装置が使用される。このフィルムキャスト装置として押出機のＴダイから吐出される溶融状態の帯状樹脂を冷却ドラムの外周面に適宜の角度範囲に亙り巻き付け、冷却ドラムとの接触によって冷却された帯状樹脂を引取りロールを経て次工程に導く構成のものが知られている。
【０００３】
また、従来のフィルムキャスト装置には冷却ドラムのドラム交換の作業性の向上や、Ｔダイのリップ調整、ドラムクリーニング、原反パス、成形確認などの操作性の向上を図るために片持型の支持コラムによって冷却ドラムの回転軸の軸受部を支持する片持構造のドラムスタンドが採用されている。このドラムスタンドの支持コラムは片持のため強固な鋳物コラムが使用されている。
【０００４】
また、このドラムスタンドには支持コラムの一側部に摺動ガイド部が設けられている。この摺動ガイド部には冷却ドラムを昇降駆動する昇降フレームが設けられている。さらに、この昇降フレームには冷却ドラムを回転駆動する駆動モータや、減速機等のドラム駆動系の各構成機器が設置されている。そのため、ドラム駆動系の各構成機器が冷却ドラムの近傍位置に配置されることにより、装置全体をコンパクト化するようになっている。
【０００５】
また、冷却ドラムの周囲にはドラム冷却水配管が配設されている。このドラム冷却水配管はスチールパイプと、回転継手であるスイベルジョイントとが組合わされた状態で組み付けられている。これにより、冷却水配管の耐久性を高め、かつ冷却ドラムの昇降機能に追従できる構成になっている。
【０００６】
また、ドラムスタンドの上部にはＴダイおよびこのＴダイから吐出される溶融状態の帯状樹脂に静電気を印加して冷却ドラムの外周面に密着させる静電印加装置であるピニング装置が位置決め保持されている。
【０００７】
【発明が解決しようとする課題】
上記従来構成のフィルムキャスト装置では片持構造のドラムスタンドが使用されているため振動上、不利となる。そのため、冷却ドラムの回転駆動時に振動や、回転変動等の外乱の発生を防止することが難しいので、フィルム厚さ精度や、表面平坦性等の原反の品質向上を図るうえで問題がある。
【０００８】
また、片持構造のドラムスタンドでは強固な鋳物コラムが使用され、かつ冷却ドラムを昇降駆動する昇降機構の構造を強固にする必要がある。そのため、装置全体の重量が大きくなる問題がある。さらに、支持コラムの摺動ガイド部には過大な偏荷重が作用するので、支持コラムの摺動ガイド部と昇降フレームとの間のカジリの原因になる問題もある。
【０００９】
また、冷却ドラムの両側の昇降フレームが移動（昇降動作）するため、ドラムスタンドの上部にＴダイの保持装置や、ピニング装置を取付けることが難しい。そのため、Ｔダイの保持装置や、ピニング装置を取付けるために専用の取付け台を設ける必要があるので、Ｔダイや、ピニング装置と冷却ドラムとの間の位置決め調整作業が面倒なものとなり、Ｔダイ及びピニング装置の位置決め精度が悪くなる問題がある。
【００１０】
また、昇降フレームに冷却ドラムの駆動モータや、減速機等のドラム駆動系の各構成機器が設置されているので、このドラム駆動系からの振動が直接、冷却ドラムに伝達され、冷却ドラムの振動が一層大きくなる問題がある。さらに、ドラム冷却水配管はスチールパイプと、一部伸縮継手であるスイベルジョイントとが組合わされた状態で組み付けられているため、水撃吸収機能が小さい問題もある。
【００１１】
本発明は上記事情に着目してなされたもので、その目的は、冷却ドラムのドラム交換の作業性と操作性を確保した上で、原反の品質（厚さ精度、表面平坦性等）と成形の安定化、耐久性の向上を図ることができ、加えてダイ及びピニング装置の位置決め精度の向上、振動減少を図ることができるフィルムキャスト装置を提供することにある。
【００１２】
【課題を解決するための手段】
請求項１の発明は、押出機のダイから吐出される溶融状態の帯状樹脂を冷却ドラムの外周面に適宜の角度範囲に亙り巻き付け、上記冷却ドラムとの接触によって冷却された上記帯状樹脂を次工程に導くフィルムキャスト装置において、略鉛直方向に立脚された左右一対の支持コラム間に横フレームが架設されたドラム支持体を上記冷却ドラムの回転軸の両端部にそれぞれ配設し、上記ドラム支持体に上記冷却ドラムを昇降可能に支持する昇降駆動機構および上記冷却ドラムを任意の高さ調整位置で係脱可能にロックして上記冷却ドラムの回転駆動時に上記冷却ドラムの振動を防止するロック機構を設け、前記ロック機構は、上記冷却ドラムの回転軸の軸受部を有する移動ハウジングに固定されたガイドブロックと、前記支持コラムに装着されたクランプ装置とを具備することを特徴とするフィルムキャスト装置である。
【００１３】
そして、本請求項１の発明では冷却ドラムの支軸構造を従来の片持ちコラム構造から４本柱フレーム構造とし、高剛性高精度化し、かつドラム支持体に上記冷却ドラムを昇降可能に支持する昇降駆動機構を設け、さらに冷却ドラムの回転軸の軸受部を有する移動ハウジングに固定されたガイドブロックと、前記支持コラムに装着されたクランプ装置とを具備するロック機構によって冷却ドラムを任意の高さ調整位置で係脱可能にロックして上記冷却ドラムの回転駆動時に上記冷却ドラムの振動を防止することにより、振動等の外乱による原反のムラを防止して、等品質性の向上を図るようにしたものである。
【００１４】
請求項２の発明は、上記ドラム支持体は上記ダイを移動可能に支持し、上記ダイを所望の移動位置で位置決め保持する位置決め機構と、上記帯状樹脂に静電気を印加して上記冷却ドラムの外周面に密着させる静電印加装置の位置決め機構とを具備することを特徴とする請求項１に記載のフィルムキャスト装置である。
【００１５】
そして、本請求項２の発明では押出機のダイおよび静電印加装置をドラム支持体に位置決め固定することにより、ダイおよび静電印加装置の位置決め精度向上を図り、装置全体のコンパクト化を図るようにしたものである。
【００１６】
請求項３の発明は、上記冷却ドラムの駆動装置は上記ドラム支持体から分離して配設された駆動モータと、この駆動モータの出力軸に連結された遊星歯車機構を使用した減速機と、この減速機の出力軸と上記ドラム支持体に回転自在に支持された回転体との間を連結する自在継手と、上記回転体の回転を上記冷却ドラムの回転軸に伝達するベルト式の駆動力伝達手段とを具備することを特徴とする請求項１に記載のフィルムキャスト装置である。
【００１７】
そして、本請求項３の発明では冷却ドラムの駆動装置の駆動モータと、遊星歯車機構を使用した減速機とをドラム支持体から分離して配設し、駆動モータから減速機を経て伝達される駆動力を自在継手およびベルト式の駆動力伝達手段を介して冷却ドラムの回転軸に伝達することにより、冷却ドラムの駆動装置の駆動モータ側の振動が直接的に冷却ドラムのドラム支持体側に伝達されることを防止するようにしたものである。
【００１８】
請求項４の発明は、上記冷却ドラムはドラム本体内に冷却水流通路が形成され、上記冷却ドラムの外部の冷却水給排用の外部配管部と、上記ドラム本体内の冷却水流通路との間が可撓性を備えた連結管を介して連結されたものであることを特徴とする請求項１に記載のフィルムキャスト装置である。
【００１９】
そして、本請求項４の発明では可撓性を備えた連結管を介して冷却ドラムのドラム本体内の冷却水流通路と外部配管部との間を連結することにより、外部配管部の構成を簡略化し、コスト低下を図るようにしたものである。
【００２０】
【発明の実施の形態】
以下、本発明の一実施の形態を図１乃至図１４（Ａ），（Ｂ）を参照して説明する。図１および図２は本実施の形態の例えばＢＯＰＥＴ等の原反成膜用のフィルムキャスト装置１全体の概略構成を示すものである。
【００２１】
図１中で、２はこのフィルムキャスト装置１の冷却ドラム、３はこの冷却ドラム２の回転軸、４はこの回転軸３の両端部にそれぞれ配設されたドラム支持体である。
【００２２】
各ドラム支持体４には図２および図３（Ａ），（Ｂ）に示すようにフィルムキャスト装置１の基台５上に略鉛直方向に立脚された左右一対の支持コラム６，７と、左右の支持コラム６，７間に架設された横フレーム８と、冷却ドラム２の回転軸３の一端部を回転自在に軸支する軸受部９を備えた移動ハウジング１０とが設けられている。そして、冷却ドラム２の回転軸３の両端部に配設された２組のドラム支持体４の４本の支持コラム６，７によって４本柱フレーム型の冷却ドラム２の支軸構造が形成されている。
【００２３】
また、２組のドラム支持体４の移動ハウジング１０の下方にはこの移動ハウジング１０とともに冷却ドラム２を昇降駆動するジャッキ（昇降駆動機構）１１がそれぞれ配設されている。ここで、図２および図３（Ａ），（Ｂ）中で、左側の支持コラム６の内側部には移動ハウジング１０の昇降動作をガイドするガイドレール１２が設けられている。さらに、移動ハウジング１０にはコラム６のガイドレール１２に係合するライナ１３が設けられている。そして、移動ハウジング１０がジャッキ１１によって昇降駆動される際には支持コラム６のガイドレール１２に沿ってライナ１３が摺動する状態でガイドされるようになっている。
【００２４】
また、図２および図３（Ａ），（Ｂ）中で、右側の支持コラム７には冷却ドラム２を任意の高さ調整位置で係脱可能にロックして冷却ドラム２の振動を防止するロック機構１４が設けられている。このロック機構１４は冷却ドラム２の上昇限近くの定位置（成形位置）に配置されている。
【００２５】
また、ロック機構１４には図４および図５（Ａ），（Ｂ）に示すように移動ハウジング１０に固定されたガイドブロック１５と、支持コラム７に装着されたクランプ装置１６とが設けられている。ここで、移動ハウジング１０のガイドブロック１５には支持コラム７との対向面側に略Ｖ字状のガイド溝１７が形成されている。
【００２６】
さらに、クランプ装置１６にはエアシリンダ１８と、このエアシリンダ１８によって進退駆動される軸体１９と、この軸体１９の先端部に固定された円柱状のクランプ体２０とが設けられている。ここで、クランプ体２０の先端部には支持コラム７のＶ字状のガイド溝１７と対応する傾斜面形状の切欠面２１が形成されている。
【００２７】
また、支持コラム７にはクランプ装置１６の装着穴２２が形成されている。そして、クランプ装置１６の軸体１９がこの装着穴２２内に挿入された状態で、エアシリンダ１８が支持コラム７の外側面に固定されている。さらに、軸体１９の先端部は装着穴２２の外部に延出されている。そして、クランプ体２０の基端部がこの軸体１９の延出端部にボルト止め等の手段によって固定されている。
【００２８】
また、本実施の形態のクランプ装置１６のクランプ体２０はガイドブロック１５のガイド溝１７に対して接離可能に設けられている。そして、フィルムキャスト装置１のセット時にはエアシリンダ１８によってクランプ体２０がガイドブロック１５のガイド溝１７から離間された係合解除位置に移動された状態で、ジャッキ１１によって移動ハウジング１０とともに冷却ドラム２が昇降駆動されるようになっている。このとき、支持コラム６のガイドレール１２に沿ってライナ１３が摺動ガイドされ、所定の冷却ドラム２の高さ位置に調整された時点で、エアシリンダ１８によってクランプ装置１６のクランプ体２０がガイドブロック１５のガイド溝１７側に押圧操作されるようになっている。そして、クランプ体２０がガイドブロック１５のガイド溝１７に圧接された状態で、冷却ドラム２が任意の高さ調整位置でロックされ、冷却ドラム２の振動を防止するようになっている。
【００２９】
また、ドラム支持体４の横フレーム８には図１に示すように押出機のＴダイを移動可能に支持し、Ｔダイを所望の移動位置で位置決め保持する位置決め機構２３と、押出機のＴダイから吐出される溶融状態の帯状樹脂に静電気を印加して冷却ドラム２の外周面に密着させるピニング装置（静電印加装置）２４の位置決め機構２５とが設けられている。
【００３０】
ここで、Ｔダイの位置決め機構２３には図６および図７に示すようにドラム支持体４の横フレーム８上に固定されたダイ取付け部材２６が設けられている。このダイ取付け部材２６の上にはガイドプレート２７が取付けられている。
【００３１】
さらに、ガイドプレート２７の上にはＴダイの支持アーム２８の取付け位置を規制するアーム受部２９が設けられている。このアーム受部２９にはＴダイの支持アーム２８における冷却ドラム２の軸方向と直交する方向の取付け位置を規制する離間対向配置された一対の位置規制ブロック３０，３１（図８および図９参照）と、ガイドプレート２７上の支持アーム２８の高さ位置を調整する高さ位置調整機構３２（図９参照）とが設けられている。
【００３２】
また、各位置規制ブロック３０，３１の上面内縁部には図９に示すようにテーパ状のガイド面３０ａ，３１ａがそれぞれ形成されている。これらのガイド面３０ａ，３１ａは両位置規制ブロック３０，３１間の間隔が図９中で、上側が広く、下面側に向かうにしたがって狭くなるように設定されている。
【００３３】
さらに、ガイドプレート２７上には各位置規制ブロック３０，３１の取付け位置を図８中で上下方向に調整するブロック位置調整機構３３，３４が設けられている。各ブロック位置調整機構３３，３４には固定ブロック３５と、この固定ブロック３５に各位置規制ブロック３０，３１の移動方向（図８中で上下方向に）に移動可能に螺挿された雄ねじ部材３６とが設けられている。そして、各位置規制ブロック３０，３１には雄ねじ部材３６の先端部が連結されている。この場合、各位置規制ブロック３０，３１と雄ねじ部材３６の先端部との連結部では雄ねじ部材３６が回転自在に保持されている。そして、雄ねじ部材３６の回転操作時には固定ブロック３５に対して螺進する雄ねじ部材３６の螺進動作にともない各位置規制ブロック３０，３１が図８中で上下の移動方向にそれぞれ移動され、各位置規制ブロック３０，３１の取付け位置が図８中で上下方向に調整されるようになっている。
【００３４】
また、高さ位置調整機構３２には図９に示すようにガイドプレート２７の一側部に固定された支持ブロック３７が設けられている。この支持ブロック３７には冷却ドラム２の軸方向と直交する方向（図８中で上下方向に）に延設された雄ねじ３８ａを有する雄ねじ部材３８の基端部側が回転自在に連結されている。さらに、この雄ねじ部材３８の基端部には操作ハンドル３９が固定されている。
【００３５】
また、ガイドプレート２７上には操作ハンドル３９の回転操作にともない図９中で左右方向に移動する第１の移動部材４０が設けられている。この第１の移動部材４０の上面には図９中で左側が低く、右側に向かうにしたがって高くなるテーパ面４０ａが形成されている。さらに、この第１の移動部材４０の基端部には連結部材４１が固定されている。この連結部材４１には雄ねじ部材３８の雄ねじ３８ａが螺挿されるねじ穴４１ａが形成されている。そして、操作ハンドル３９の回転操作にともない連結部材４１を介して第１の移動部材４０が図９中で左右方向に移動するようになっている。
【００３６】
また、２つの位置規制ブロック３０，３１間には第１の移動部材４０の移動にともない図９中で上下方向に移動する第２の移動部材４２が設けられている。この第２の移動部材４２の下面には第１の移動部材４０の上面のテーパ面４０ａと対応する形状のテーパ面４２ａが形成されている。さらに、この第２の移動部材４２の上面には断熱プレート４３を介してライナープレート４４が取付けられている。そして、このライナープレート４４の上にはＴダイの支持アーム２８が着脱可能に載置されている。したがって、操作ハンドル３９の回転操作時には連結部材４１を介して第１の移動部材４０が図９中で左右方向に移動し、この第１の移動部材４０の移動にともない第２の移動部材４２が図９中で上下方向に移動してＴダイの支持アーム２８の高さ位置が調整されるようになっている。
【００３７】
なお、図６および図７中で、４５はＴダイの支持アーム２８をアーム受部２９に固定するための押さえ部材、４６はこの押さえ部材４５を介してＴダイの支持アーム２８をクランプするクランプレバーである。
【００３８】
また、図１０および図１１はピニング装置２４の位置決め機構２５を示すものである。ここで、ドラム支持体４の横フレーム８には位置決め機構２５の取付けブラケット４７が固定されている。この取付けブラケット４７にはピニング装置２４を鉛直方向（図１０および図１１中で、上下方向）に移動する第１の移動機構４８と、ピニング装置２４を第１の移動機構４８による移動方向と直交する方向（図１０および図１１中で、紙面と直交する方向）に移動する第２の移動機構４９とが設けられている。
【００３９】
さらに、第１，第２の移動機構４８，４９には取付けブラケット４７側に固定された駆動モータ５０と、この駆動モータ５０によって回転駆動されるボールねじ式の移動要素５１とが設けられている。そして、本実施の形態のピニング装置２４の位置決め機構２５ではこれら第１，第２の移動機構４８，４９による移動方向にピニング装置２４をそれぞれ位置決め可能になっている。
【００４０】
また、図１２は本実施の形態のフィルムキャスト装置１の冷却ドラム２の駆動装置５２全体の概略構成を示すものである。この駆動装置５２にはドラム支持体４から分離して別個の支持台５３上に配設された駆動モータ５４が設けられている。この駆動モータ５４の出力軸５５には遊星歯車機構を使用した減速機５６が連結されている。この減速機５６は駆動モータ５４とともに支持台５３上に配設されている。
【００４１】
また、冷却ドラム２の回転軸３の一端部にはドラム側プーリ５７が固定されている。さらに、ドラム支持体４の移動ハウジング１０にはドラム側プーリ５７よりも小径な駆動プーリ（回転体）５８が支軸５９を中心に回転自在に軸支されている。
【００４２】
また、駆動プーリ５８とドラム側プーリ５７との間には平ベルト６０が掛け渡され、ベルト式の駆動力伝達手段が形成されている。さらに、駆動プーリ５８と減速機５６の出力軸との間はボールジョイント式の自在継手６１を介して連結されている。そして、駆動モータ５４の駆動時には駆動モータ５４の回転力が減速機５６によって所定の回転数に減速された状態で出力されるとともに、減速機５６の出力軸から出力される回転力が自在継手６１を介して駆動プーリ５８に伝達され、この駆動プーリ５８が回転駆動される。さらに、この駆動プーリ５８の回転は平ベルト６０を介してドラム側プーリ５７に伝達され、駆動プーリ５８の回転が冷却ドラム２の回転軸３に伝達されるようになっている。
【００４３】
また、本実施の形態の冷却ドラム２にはドラム本体内に例えば特開平６−８７１５０号公報等に記載された公知の図示しない冷却水流通路が形成されている。さらに、冷却ドラム２の外部には図１および図２に示すように冷却水給排用の外部配管部６２が配設されている。この外部配管部６２とドラム本体２内の冷却水流通路との間は可撓性を備えたフレキシブルチューブ（連結管）６３を介して連結されている。
【００４４】
そこで、上記構成のものにあっては次の効果を奏する。すなわち、本実施の形態のフィルムキャスト装置１では冷却ドラム２の回転軸３の両端部に配設された２組のドラム支持体４の４本の支持コラム６，７によって４本柱フレーム型の冷却ドラム２の支軸構造を形成したので、従来のように片持ちコラム構造の冷却ドラム２の支軸構造を採用した場合に比べて冷却ドラム２の支軸構造を高剛性高精度化することができる。そのため、４本柱の支持コラム６，７によって冷却ドラム２を安定に保持することができるので、冷却ドラム２の回転駆動時に振動や、回転変動等の外乱の発生を防止することができ、振動等の外乱による原反のムラを防止して、等品質性の向上を図ることができる。例えば、従来の冷却ドラム２の回転振動振幅が３〜５μ程度であったものを本実施の形態では０．３μ程度に大幅に減少することができる。
【００４５】
また、２組のドラム支持体４の移動ハウジング１０の下方に移動ハウジング１０とともに冷却ドラム２を昇降駆動するジャッキ１１をそれぞれ配設したので、ジャッキ１１も荷重バランスが良い。さらに、図２および図３（Ａ），（Ｂ）中で、右側の支持コラム７に冷却ドラム２を任意の高さ調整位置で係脱可能にロックして冷却ドラム２の振動を防止するロック機構１４を設けたので、４本柱の支持コラム６，７によって冷却ドラム２を一層安定に保持することができる。ここで、ロック機構１４は冷却ドラム２の上昇限近くの定位置（成形位置）に配置したので、更に耐振性の向上を図ることができる。
【００４６】
また、４本柱フレーム型の冷却ドラム２の支軸構造によって冷却ドラム２の支軸構造を高剛性化したので、ドラム支持体４の横フレーム８に押出機のＴダイの位置決め機構２３と、ピニング装置２４の位置決め機構２５とを設置することができる。そのため、Ｔダイおよびピニング装置２４を取付ける専用の取付け台を設ける必要がないので、フィルムキャスト装置１全体のコンパクト化を図ることができる。
【００４７】
さらに、従来のようにＴダイの保持装置や、ピニング装置２４を取付けるために専用の取付け台を設けた場合に比べて押出機のＴダイおよびピニング装置２４をドラム支持体４の横フレーム８に高精度に位置決め固定することができるので、Ｔダイおよびピニング装置２４の位置決め精度と再現性の向上を図ることができる。
【００４８】
また、ドラム支持体４から分離した別個の支持台５３上に冷却ドラム２の駆動装置５２の駆動モータ５４および減速機５６を配設したので、駆動モータ５４および減速機５６により発生する振動が冷却ドラム２側に伝達されることを防止することができる。さらに、減速機５６としては従来一般に使用されているウォーム減速機に代えてバックラッシュの少ない遊星歯車減速機を採用したので、回転精度、回転ムラを改善することができる。もちろん、複リード式ウォーム減速機も採用できる。
【００４９】
また、冷却ドラム２の外部に配設された冷却水給排用の外部配管部６２とドラム本体２内の冷却水流通路との間をフレキシブルチューブ６３を介して連結したので、従来のようにドラム冷却水配管をスチールパイプと、スイベルジョイントとが組合わされた状態で組み付けられている場合に比べて水撃振動吸収性を向上させることができる。
【００５０】
さらに、本実施の形態では従来の約３０％程度、成形立上時間の縮少を図ることができ、従来より成形速度を高めることができる。また、ピニング装置２４のトリップ回数を半減し、ロングラン安定性を向上させることができる。さらに、本実施の形態のフィルムキャスト装置１によって製造される原反の厚さ精度および原反の表面平坦性等の品質向上が果せる。
なお、本発明は上記実施の形態に限定されるものではなく、本発明の要旨を逸脱しない範囲で種々変形実施できることは勿論である。
【００５１】
【発明の効果】
請求項１の発明によれば、略鉛直方向に立脚された左右一対の支持コラム間に横フレームが架設されたドラム支持体を上記冷却ドラムの回転軸の両端部にそれぞれ配設し、上記ドラム支持体に上記冷却ドラムを昇降可能に支持する昇降駆動機構および上記冷却ドラムの回転軸の軸受部を有する移動ハウジングに固定されたガイドブロックと、前記支持コラムに装着されたクランプ装置とを具備し、上記冷却ドラムを任意の高さ調整位置で係脱可能にロックして上記冷却ドラムの回転駆動時に上記冷却ドラムの振動を防止するロック機構を設けたので、冷却ドラムのドラム交換の作業性と操作性を確保した上で、原反の品質（厚さ精度、表面平坦性等）と成形の安定化、耐久性の向上を図ることができ、加えてダイ及びピニング装置の位置決め精度の向上、振動減少を図ることができる。
【００５２】
請求項２の発明によれば、請求項１の効果に加えてドラム支持体にダイを移動可能に支持し、ダイを所望の移動位置で位置決め保持する位置決め機構と、帯状樹脂に静電気を印加して冷却ドラムの外周面に密着させる静電印加装置の位置決め機構とを設けたので、ダイおよび静電印加装置の位置決め精度向上を図り、装置全体のコンパクト化を図ることができる。
【００５３】
請求項３の発明によれば、請求項１の効果に加えて冷却ドラムの駆動装置にドラム支持体から分離して配設された駆動モータと、この駆動モータの出力軸に連結された遊星歯車機構を使用した減速機と、この減速機の出力軸とドラム支持体に回転自在に支持された回転体との間を連結する自在継手と、回転体の回転を冷却ドラムの回転軸に伝達するベルト式の駆動力伝達手段とを設けたので、冷却ドラムの駆動装置の駆動モータ側の振動が直接的に冷却ドラムのドラム支持体側に伝達されることを防止することができる。
【００５４】
請求項４の発明によれば、請求項１の効果に加えて冷却ドラムの外部の冷却水給排用の外部配管部と、ドラム本体内の冷却水流通路との間を可撓性を備えた連結管を介して連結したので、外部配管部の構成を簡略化し、コスト低下を図ることができる。
【図面の簡単な説明】
【図１】本発明の一実施の形態のフィルムキャスト装置全体の概略構成を示す側面図。
【図２】同実施の形態のフィルムキャスト装置の正面図。
【図３】同実施の形態のフィルムキャスト装置のドラム支持体を示すもので、（Ａ）は平面図、（Ｂ）は側面図。
【図４】同実施の形態のフィルムキャスト装置の冷却ドラムの昇降駆動機構および冷却ドラムを任意の高さ調整位置に固定するためのロック機構を示す横断面図。
【図５】同実施の形態のフィルムキャスト装置のロック機構を示すもので、（Ａ）は要部の縦断面図、（Ｂ）は同横断面図。
【図６】同実施の形態のフィルムキャスト装置のダイ移動機構の要部構成を示す正面図。
【図７】同実施の形態のフィルムキャスト装置のダイ移動機構の要部構成を示す側面図。
【図８】同実施の形態のフィルムキャスト装置のダイ移動機構の平面図。
【図９】同実施の形態のフィルムキャスト装置のダイ移動機構を示す図８のＬ1 −Ｌ1 線断面図。
【図１０】同実施の形態のフィルムキャスト装置のピニング装置の取付け状態を示す正面図。
【図１１】同実施の形態のフィルムキャスト装置のピニング装置の要部構成を示す正面図。
【図１２】同実施の形態のフィルムキャスト装置の冷却ドラムの駆動装置全体の概略構成図。
【図１３】同実施の形態のフィルムキャスト装置の冷却ドラムの駆動装置の要部構成を示す側面図。
【図１４】同実施の形態のフィルムキャスト装置の冷却ドラムの駆動装置の平ベルト式の駆動力伝達機構を示すもので、（Ａ）は正面図、（Ｂ）は（Ａ）のＢ−Ｂ線断面図。
【符号の説明】
２    冷却ドラム
３    回転軸
４    ドラム支持体
６，７    支持コラム
８    横フレーム
１１    ジャッキ（昇降駆動機構）
１４    ロック機構
【図１】
0003719803.tif 000002
【図２】
0003719803.tif 000003
【図３】
0003719803.tif 000004
【図４】
0003719803.tif 000005
【図５】
0003719803.tif 000006
【図６】
0003719803.tif 000007
【図７】
0003719803.tif 000008
【図８】
0003719803.tif 000009
【図９】
0003719803.tif 000010
【図１０】
0003719803.tif 000011
【図１１】
0003719803.tif 000012
【図１２】
0003719803.tif 000013
【図１３】
0003719803.tif 000014
【図１４】
0003719803.tif 000015